(57)【要約】【課題】例えばシャッターが脱落するなどの不具合が起こりにくい、一方にシャッターを備えた一対の電気コネクタを提供する。【解決手段】嵌合過程では、第３弾性片１３３の鉤１３３ａが第１凸部２１１ｄの反嵌合側に掛かり、第２凸部２１２ａが第１弾性片１１４を介して第２弾性片１３２を幅方向の内側へ押して当該第２弾性片の鉤１３２ａが係止部１１５から外れ、シャッター１３０が本体２１１に受け止められて第１ハウジング１１０の嵌合側への移動により第１位置から第２位置へ向かい、離脱過程では、第３弾性片の鉤が第１凸部に掛かることでシャッターが第１位置へ戻り、第２凸部が第１弾性片を介して第２弾性片を幅方向の内側へ押して第２弾性片の鉤を係止部から逃がし、停止機構によりシャッターが第１位置に止まることで第３弾性片の鉤が第１凸部の嵌合側に戻るように構成された、一方にシャッターを備えた一対の電気コネクタである。【選択図】図１
2015164113.tif 000002
【特許請求の範囲】
【請求項１】
第１電気コネクタと、上記第１電気コネクタと嵌合し上記第１電気コネクタから離脱することになる第２電気コネクタとを備え、
上記第１電気コネクタは、嵌合側に開口を有する第１収容室が内部に形成されるように周壁が設けられた第１ハウジングと、
接触部が上記第１収容室に配置されるように上記第１ハウジングに設けられた第１接触子と、
上記第１収容室の上記開口を塞ぐように上記第１ハウジングの上記第１収容室に配置されると共に、上記第１ハウジングに対して上記第１接触子の上記接触部よりも上記嵌合側にある第１位置と上記接触部の少なくとも一部よりも反嵌合側にある第２位置との間でスライド自在に設けられ、上記嵌合離脱方向にみたときに上記第１接触子の上記接触部に対応する部位に上記嵌合離脱方向に貫通する第１孔が設けられたシャッターとを備え、
上記第２電気コネクタは、上記第１孔に対応する部位で上記嵌合離脱方向に貫通する第２孔を介して上記嵌合側へ連通する第２収容室が内部に形成されると共に上記両電気コネクタの嵌合時に上記シャッターを受け止めることになる本体が設けられた第２ハウジングと、
接触部が、上記嵌合離脱方向にみたときに上記第２孔に対応して上記第２収容室に配置されるように上記第２ハウジングに設けられた第２接触子とを備え、
上記第１ハウジングには、上記周壁の一部により構成され、上記嵌合側へ延びて上記嵌合側の端部が上記第１収容室の上記開口付近で上記嵌合離脱方向と直交する幅方向に撓むことができる第１弾性片が設けられ、
上記シャッターには、上記嵌合側へ延びて上記嵌合側の端部が上記幅方向に撓むことができ当該端部に鉤が設けられた第２弾性片が設けられ、
上記第１ハウジングには、上記第２弾性片の上記鉤に上記反嵌合側から掛かる係止部が設けられ、
上記第１ハウジングにおける上記第２弾性片よりも上記幅方向の内側、および上記第２ハウジングの上記本体における上記幅方向の外側のうち、一方には、上記嵌合側へ延びて上記嵌合側の端部が上記幅方向に撓むことができ当該端部に鉤が設けられた第３弾性片が設けられていると共に、他方には、上記幅方向へ出た第１凸部が設けられ、
上記第２ハウジングには、上記本体の上記幅方向の外側に配置されて、上記幅方向の内側へ出た第２凸部を有する側壁が設けられ、
上記第１電気コネクタには、上記シャッターが上記第１位置よりも上記嵌合側へ移動することを阻止する停止機構が設けられ、
上記両電気コネクタの嵌合過程では、上記第３弾性片の上記鉤が上記第１凸部を乗り越えて当該第１凸部の上記反嵌合側に掛かり、上記側壁の上記第２凸部が上記第１弾性片を介して上記第２弾性片を上記幅方向の内側へ押して当該第２弾性片の上記鉤が上記係止部から外れ、上記シャッターが上記本体に受け止められて上記第１ハウジングの上記嵌合側への移動により上記第１位置から上記第２位置へ向かい、上記両電気コネクタの離脱過程では、上記第３弾性片の上記鉤が上記第１凸部に掛かることで上記シャッターが上記第１位置へ戻り、上記側壁の上記第２凸部が上記第１弾性片を介して上記第２弾性片を上記幅方向の内側へ押して当該第２弾性片の上記鉤を上記係止部から逃がし、上記停止機構により上記シャッターが上記第１位置に止まることで上記第３弾性片の上記鉤が上記第１凸部を乗り越えて当該第１凸部の上記嵌合側に戻るように構成された、一方にシャッターを備えた一対の電気コネクタ。
【請求項２】
上記両電気コネクタの嵌合過程において接触する上記第１弾性片の面および上記２弾性片の面のうち少なくとも一方の面が、上記嵌合離脱方向および上記幅方向と直交する厚さ方向にみたときに上記嵌合側へ向かうにつれて上記幅方向の外側へ寄るように上記嵌合離脱方向および上記幅方向に対して斜めに形成されている請求項１の、一方にシャッターを備えた一対の電気コネクタ。
【請求項３】
上記停止機構が、上記第１ハウジングに設けられ、上記幅方向の内側へ出た第３凸部と、
上記シャッターに設けられ、上記第３凸部に上記反嵌合側から掛かるシャッター係止部とを備えている、請求項１又は請求項２の、一方にシャッターを備えた一対の電気コネクタ。
【請求項４】
上記第１弾性片、上記第２弾性片、上記第３弾性片若しくは上記第１凸部、および上記係止部が、上記第１電気コネクタの上記幅方向の央部を挟んで上記幅方向の両側に設けられ、
これに対応して、上記第１凸部若しくは上記第３弾性片、および上記第２凸部を有する上記側壁が、上記第２電気コネクタの上記幅方向の央部を挟んで上記幅方向の両側に設けられている請求項１ないし請求項３のうちいずれか１項の、一方にシャッターを備えた一対の電気コネクタ。
【請求項５】
上記両電気コネクタの嵌合過程では、上記第３弾性片の上記鉤が上記第１凸部を乗り越えて当該第１凸部の上記反嵌合側に掛かった後に、上記側壁の上記第２凸部が上記第１弾性片を介して上記第２弾性片を上記幅方向の内側へ押して当該第２弾性片の上記鉤が上記係止部から外れ、上記両電気コネクタの離脱過程では、上記側壁の上記第２凸部が上記第１弾性片を介して上記第２弾性片を上記幅方向の内側へ押して当該第２弾性片の上記鉤を上記係止部から逃がした後に、上記第３弾性片の上記鉤が上記第１凸部を乗り越えて当該第１凸部の上記嵌合側に戻るように構成された、請求項１ないし請求項３のうちいずれか１項の、一方にシャッターを備えた一対の電気コネクタ。
【発明の詳細な説明】
【技術分野】
【０００１】
本発明は電気コネクタの技術分野に属し、シャッターが設けられた電気コネクタに関する。
【背景技術】
【０００２】
特許文献１は、プラグ挿入口にシャッターを備えたソケット型のコネクタを開示しており、上記シャッターとソケットボディとの間に弾性部材を設けた上記コネクタを開示している。
【０００３】
特許文献２は、端子保護板を備えたコネクタを開示している。上記コネクタは、雄型端子を嵌挿する第１コネクタハウジングと、この第１コネクタハウジングに装着される端子保護板と、雌型端子を嵌挿し、締付けナットを備えた第２コネクタハウジングと、嵌合用の簡易ボルトから構成されている。上記端子保護板は、上記第１コネクタハウジングの端子収容孔に対応した端子支持孔と抜き孔を備えた平板面と、この平板面の裏面側端部から立設された一対の係止片と、上記平板面の表面側端部より立設された一対のフック片から構成される。上記第１コネクタハウジングには、内周壁に上記端子保護板を仮係止するための一対の突起である仮係止部が設けられており、上記端子保護板の上記係止片が挿入係止される一対の係止孔が穿設されている。一方、上記第２コネクタハウジングには、上記端子保護板の上記フック片がコネクタ嵌合完了時に係止される一対の係止凹部が設けられている。上記端子保護板の上記第１コネクタハウジングへの組付けは、先ず上記端子保護板の上記一対の係止片が上記第１コネクタハウジングの上記係止孔内へ挿入される。すると、その先端に形成された爪部が上記係止孔内の所定位置に設けられた上記係止受部に係止されると共に、上記端子保護板の下面が上記一対の仮係止部に当接することで上記端子保護板は上記第１コネクタハウジング内に仮係止される。上記両コネクタハウジングが正常な状態で完全嵌合されると上記端子保護板の上記平板面を介して上記雄型端子の先端が上記雌型端子内に完全嵌入され、確実な導通接続が達成される。この時、上記端子保護板の上記フック片先端の爪部が、上記第２コネクタハウジングの上記係止凹部と係合される。
【先行技術文献】
【特許文献】
【０００４】
【特許文献１】特開２００５−１０８５９６号公報
【特許文献２】特開平７−３０７１８６号公報
【発明の概要】
【発明が解決しようとする課題】
【０００５】
上記特許文献１のシャッターが設けられた電気コネクタは、例えば独立した弾性部材を必要とする。それに較べると、上記特許文献２の端子保護板を備えたコネクタは、そのような弾性部材を必要とせず、その分だけ部品点数が減るが、次のような問題がある。上記係止片が上記端子保護板から嵌合側へ延びると共に上記フック片が上記端子保護板から反嵌合側へ延び、上記係止片および上記フック片が軸線上に設けられているため、例えば上記フック片が変位すると、それに連動して上記係止片も変位する可能性が高い。そのため、例えば上記第２コネクタハウジングを上記第１コネクタハウジングから引き抜く場合、上記フック片が上記第２コネクタハウジングの上記係止凹部から外れるときに、上記フック片が変位することに連動して上記係止片が変位して上記係止受部から外れ、それによって上記端子保護板が上記第１コネクタハウジングから外れる可能性がある。これを防ぐには、例えば上記端子保護板の厚みを増して剛性を上げ、それによって上記フック片と上記係止片が連動して変位することを防ぐことが考えられるが、そうすると電気コネクタの長さが長くなる。
【０００６】
本発明は、このような点に着目してなされたものであり、その目的とするところは、上記問題を解決することができる、一方にシャッターを備えた一対の電気コネクタを提供することにある。
【課題を解決するための手段】
【０００７】
上記目的を達成するため、本発明の第１の、一方にシャッターを備えた一対の電気コネクタは、第１電気コネクタと、上記第１電気コネクタと嵌合し上記第１電気コネクタから離脱することになる第２電気コネクタとを備えている。
上記第１電気コネクタは、嵌合側に開口を有する第１収容室が内部に形成されるように周壁が設けられた第１ハウジングと、
接触部が上記第１収容室に配置されるように上記第１ハウジングに設けられた第１接触子と、
上記第１収容室の上記開口を塞ぐように上記第１ハウジングの上記第１収容室に配置されると共に、上記第１ハウジングに対して上記第１接触子の上記接触部よりも上記嵌合側にある第１位置と上記接触部の少なくとも一部よりも反嵌合側にある第２位置との間でスライド自在に設けられ、上記嵌合離脱方向にみたときに上記第１接触子の上記接触部に対応する部位に上記嵌合離脱方向に貫通する第１孔が設けられたシャッターとを備えている。
上記第２電気コネクタは、上記第１孔に対応する部位で上記嵌合離脱方向に貫通する第２孔を介して上記嵌合側へ連通する第２収容室が内部に形成されると共に上記両電気コネクタの嵌合時に上記シャッターを受け止めることになる本体が設けられた第２ハウジングと、
接触部が、上記嵌合離脱方向にみたときに上記第２孔に対応して上記第２収容室に配置されるように上記第２ハウジングに設けられた第２接触子とを備えている。
上記第１ハウジングには、上記周壁の一部により構成され、上記嵌合側へ延びて上記嵌合側の端部が上記第１収容室の上記開口付近で上記嵌合離脱方向と直交する幅方向に撓むことができる第１弾性片が設けられ、
上記シャッターには、上記嵌合側へ延びて上記嵌合側の端部が上記幅方向に撓むことができ当該端部に鉤が設けられた第２弾性片が設けられ、
上記第１ハウジングには、上記第２弾性片の上記鉤に上記反嵌合側から掛かる係止部が設けられ、
上記第１ハウジングにおける上記第２弾性片よりも上記幅方向の内側、および上記第２ハウジングの上記本体における上記幅方向の外側のうち、一方には、上記嵌合側へ延びて上記嵌合側の端部が上記幅方向に撓むことができ当該端部に鉤が設けられた第３弾性片が設けられていると共に、他方には、上記幅方向へ出た第１凸部が設けられ、
上記第２ハウジングには、上記本体の上記幅方向の外側に配置されて、上記幅方向の内側へ出た第２凸部を有する側壁が設けられ、
上記第１電気コネクタには、上記シャッターが上記第１位置よりも上記嵌合側へ移動することを阻止する停止機構が設けられている。
そして、上記一方にシャッターを備えた一対の電気コネクタは、上記両電気コネクタの嵌合過程では、上記第３弾性片の上記鉤が上記第１凸部を乗り越えて当該第１凸部の上記反嵌合側に掛かり、上記側壁の上記第２凸部が上記第１弾性片を介して上記第２弾性片を上記幅方向の内側へ押して当該第２弾性片の上記鉤が上記係止部から外れ、上記シャッターが上記本体に受け止められて上記第１ハウジングの上記嵌合側への移動により上記第１位置から上記第２位置へ向かい、上記両電気コネクタの離脱過程では、上記第３弾性片の上記鉤が上記第１凸部に掛かることで上記シャッターが上記第１位置へ戻り、上記側壁の上記第２凸部が上記第１弾性片を介して上記第２弾性片を上記幅方向の内側へ押して当該第２弾性片の上記鉤を上記係止部から逃がし、上記停止機構により上記シャッターが上記第１位置に止まることで上記第３弾性片の上記鉤が上記第１凸部を乗り越えて当該第１凸部の上記嵌合側に戻るように構成されている。
【０００８】
上記両電気コネクタが離れているときは、上記第２弾性片の上記鉤に上記係止部が上記反嵌合側から掛かるので上記シャッターが上記第１位置よりも上記反嵌合側へ移動せず、また上記停止機構により上記シャッターが上記第１位置よりも上記嵌合側へも移動しないことから、上記シャッターにより上記第１接触子の上記接触部が外部から隔離される。それにより、例えば使用者が上記接触部に触れて感電する可能性、上記接触部に外力が加わって当該接触部が変形し若しくは損傷を受ける可能性、又は上記第１接触子に電気的な外乱が加わる可能性、などを低減することができる。そして、上記両電気コネクタの嵌合過程で上記両電気コネクタのうち一方を他方へ挿入していくと、上記第３弾性片の上記鉤が上記第１凸部を乗り越えて当該第１凸部の上記反嵌合側に掛かり、上記側壁の上記第２凸部が上記第１弾性片を介して上記第２弾性片を上記幅方向の内側へ押して当該第２弾性片の上記鉤が上記係止部から外れ、上記シャッターが上記本体に受け止められて上記第１ハウジングの上記嵌合側への移動により上記第１位置から上記第２位置へ向かい、さらに上記挿入を続行すると、上記第１接触子の上記接触部が上記第１孔から上記嵌合側へ出て上記第２孔に入り、上記第２接触子に接触する。一方、上記両電気コネクタの離脱過程で上記両電気コネクタを離していくと、上記第３弾性片の上記鉤が上記第１凸部に掛かっているので上記シャッターが上記第１位置へ戻り、上記側壁の上記第２凸部が上記第１弾性片を介して上記第２弾性片を上記幅方向の内側へ押して当該第２弾性片の上記鉤を上記係止部から逃がし、上記停止機構により上記シャッターが上記第１位置に停止してそれよりも上記嵌合側へ移動しないことから、上記第３弾性片の上記鉤が上記第１凸部を乗り越えて当該第１凸部の上記嵌合側に戻る。その場合、上記両電気コネクタが完全に嵌合するに至らない半嵌合の状態であっても、上記両電気コネクタを離していくと、上記第３弾性片の上記鉤が上記第１凸部に掛かっているので上記シャッターが上記第１位置へ戻る。そして、上記一方にシャッターを備えた一対の電気コネクタは、独立した弾性部材を設けない実施形態を実現することが可能であり、そうしたときには、その分だけ部品点数が減る。また、上記シャッターに設けられた上記第２弾性片および上記第３弾性片は、上記嵌合側へ平行に延び又は上記両電気コネクタに分散して設けられるので、軸線上に且つ一体的に設けられるという形態をとらないことから、一方が変位しても他方が連動するおそれが少ない。そのため、上記両電気コネクタのうち一方を他方へ挿入していくときの上記第２弾性片および上記第３弾性片の作動タイミングが正確で且つ精度よく得られ、例えば上記両電気コネクタを離間させたときに上記シャッターが脱落するなどの不具合が起こりにくい。さらに、上記シャッターの厚みを増して剛性をあげるような対策を特に必要としないので、上記第１電気コネクタの長さが長くなるおそれも少ない。加えて、上記第２弾性片の案内機能により上記シャッターが上記第１ハウジングの内部で斜めに移動することが防がれるので、上記両電気コネクタが斜めに嵌合することが防止される。
【０００９】
第２の、一方にシャッターを備えた一対の電気コネクタは、上記第１の、一方にシャッターを備えた一対の電気コネクタにおいて、
上記両電気コネクタの嵌合過程において接触する上記第１弾性片の面および上記２弾性片の面のうち少なくとも一方の面が、上記嵌合離脱方向および上記幅方向と直交する厚さ方向にみたときに上記嵌合側へ向かうにつれて上記幅方向の外側へ寄るように上記嵌合離脱方向および上記幅方向に対して斜めに形成されている、一方にシャッターを備えた一対の電気コネクタである。
【００１０】
例えば、上記シャッターが上記第２ハウジングの上記本体により上記反嵌合側へ押されると、上記第２弾性片の上記鉤と上記第１ハウジングの上記係止部との接触圧力が高くなり、上記鉤が上記係止部から上記幅方向の内側へ外れにくくなることがある。しかし、上記第２の、一方にシャッターを備えた一対の電気コネクタのようにすれば、上記両電気コネクタのうち一方を他方へ挿入したときに、上記第１弾性片の面と上記第２弾性片の面とが接触すると、上記第１弾性片から上記第２弾性片に対してこれを上記幅方向の内側へ押す力が作用するので、上記第２弾性片の上記鉤と上記第１ハウジングの上記係止部とに接触圧力が作用していても、上記鉤が上記係止部から上記幅方向の内側へ外れやすくなる。
【００１１】
第３の圧着端子は、上記第１の又は上記第２の、一方にシャッターを備えた一対の電気コネクタにおいて、
上記停止機構が、上記第１ハウジングに設けられ、上記幅方向の内側へ出た第３凸部と、
上記シャッターに設けられ、上記第３凸部に上記反嵌合側から掛かるシャッター係止部とを備えている、一方にシャッターを備えた一対の電気コネクタである。
【００１２】
このようにすれば、上記両電気コネクタの離脱過程で上記第３凸部が上記シャッター係止部に掛かるので、上記シャッターが上記第１位置に停止してそれよりも上記嵌合側へ移動しないことから、上記第３弾性片の上記鉤が上記第１凸部を乗り越えて当該第１凸部の上記嵌合側に戻る。また、上記シャッターが上記第１ハウジングから上記嵌合側へ抜けることが阻止される。
【００１３】
第４の、一方にシャッターを備えた一対の電気コネクタは、上記第１ないし上記第３のうちいずれか一つの、一方にシャッターを備えた一対の電気コネクタにおいて、
上記第１弾性片、上記第２弾性片、上記第３弾性片若しくは上記第１凸部、および上記係止部が、上記第１電気コネクタの上記幅方向の央部を挟んで上記幅方向の両側に設けられ、
これに対応して、上記第１凸部若しくは上記第３弾性片、および上記第２凸部を有する上記側壁が、上記第２電気コネクタの上記幅方向の央部を挟んで上記幅方向の両側に設けられている、一方にシャッターを備えた一対の電気コネクタである。
【００１４】
このようにすれば、上記両電気コネクタの作動が上記両電気コネクタの上記幅方向の央部を中心にしてバランスのとれたものになり、例えば、上記両電気コネクタの嵌合、離脱時に、こじり力などが発生することが防止される。
【００１５】
第５の、一方にシャッターを備えた一対の電気コネクタは、上記第１ないし上記第４のうちいずれか一つの、一方にシャッターを備えた一対の電気コネクタにおいて、
上記両電気コネクタの嵌合過程では、上記第３弾性片の上記鉤が上記第１凸部を乗り越えて当該第１凸部の上記反嵌合側に掛かった後に、上記側壁の上記第２凸部が上記第１弾性片を介して上記第２弾性片を上記幅方向の内側へ押して当該第２弾性片の上記鉤が上記係止部から外れ、上記両電気コネクタの離脱過程では、上記側壁の上記第２凸部が上記第１弾性片を介して上記第２弾性片を上記幅方向の内側へ押して当該第２弾性片の上記鉤を上記係止部から逃がした後に、上記第３弾性片の上記鉤が上記第１凸部を乗り越えて当該第１凸部の上記嵌合側に戻るように構成された、一方にシャッターを備えた一対の電気コネクタである。
【００１６】
このようにすれば、上記両電気コネクタが完全に嵌合するに至らない半嵌合の状態から上記両電気コネクタを離していく場合、嵌合深さが比較的浅いときであっても上記第３弾性片の上記鉤が上記第１凸部に掛かることで上記シャッターが上記第１位置へ戻る。
【発明の効果】
【００１７】
本発明の上記第１の、一方にシャッターを備えた一対の電気コネクタは、例えば使用者が上記接触部に触れて感電する可能性、上記接触部に外力が加わって当該接触部が変形し若しくは損傷を受ける可能性、又は上記第１接触子に電気的な外乱が加わる可能性、などを低減することができると共に、独立した弾性部材を設けないときには、その分だけ部品点数が減る。また、上記両電気コネクタのうち一方を他方へ挿入していくときの上記第２弾性片および上記第３弾性片の作動タイミングを正確で且つ精度よく得ることができ、例えば上記両電気コネクタを離間させたときに上記シャッターが脱落するなどの不具合が起こりにくい。さらに、上記第１電気コネクタの長さが長くなるおそれも少ない。また、上記第２弾性片の案内機能により、上記両電気コネクタが斜めに嵌合することを防止することができる。
【００１８】
本発明の上記第２の、一方にシャッターを備えた一対の電気コネクタは、上記第１の、一方にシャッターを備えた一対の電気コネクタにより得られる効果が得られることに加え、さらに、上記第２弾性片の上記鉤と上記第１ハウジングの上記係止部とに接触圧力が作用していても、上記鉤が上記係止部から上記幅方向の内側へ外れやすくすることができる。
【００１９】
本発明の上記第３の、一方にシャッターを備えた一対の電気コネクタは、上記第１又は上記第２の、一方にシャッターを備えた一対の電気コネクタにより得られる効果が得られることに加え、さらに、上記停止機構の一例を具体的に示すことができた。
【００２０】
本発明の上記第４の、一方にシャッターを備えた一対の電気コネクタは、上記第１ないし上記第３のうちいずれか一つの、一方にシャッターを備えた一対の電気コネクタにより得られる効果が得られることに加え、さらに、上記両電気コネクタの作動が上記両電気コネクタの央部を中心にしてバランスのとれたものになり、例えば、上記両電気コネクタの嵌合、離脱時に、こじり力などが発生することを防止することができる。
【００２１】
本発明の上記第５の、一方にシャッターを備えた一対の電気コネクタは、上記第１ないし上記第４のうちいずれか一つの、一方にシャッターを備えた一対の電気コネクタにより得られる効果が得られることに加え、さらに、上記両電気コネクタが完全に嵌合するに至らない半嵌合の状態から上記両電気コネクタを離していく場合、嵌合深さが比較的浅いときであっても上記シャッターを上記第１位置へ戻すことができる。
【図面の簡単な説明】
【００２２】
【図１】図１は、一方にシャッターを備えた一対の電気コネクタの実施形態の第１電気コネクタおよび第２電気コネクタを示す斜視図である。
【図２】図２は、上記実施形態の上記第１電気コネクタおよび上記第２電気コネクタを、図１とは別の方向からみたときの斜視図である。
【図３】図３は、上記実施形態の上記第１電気コネクタのシャッターを示す斜視図である。
【図４】図４は、上記実施形態の上記第１電気コネクタおよび上記第２電気コネクタの横断面図である。
【図５】図５は、上記実施形態の上記第１電気コネクタおよび上記第２電気コネクタの側面図である。上記第１電気コネクタを上記第２電気コネクタに挿入している。
【図６】図６は、図５のＶＩ−ＶＩ線における断面図である。
【図７】図７は、図６の仮想線で囲んだ部分の拡大図である。
【図８】図８は、上記実施形態の上記第１電気コネクタおよび上記第２電気コネクタの側面図である。上記第１電気コネクタの上記第２電気コネクタへの挿入深さが、図５の状態から増している。
【図９】図９は、図８のＩＸ−ＩＸ線における断面図である。
【図１０】図１０は、図９の仮想線で囲んだ部分の拡大図である。
【図１１】図１１は、上記実施形態の上記第１電気コネクタおよび上記第２電気コネクタの側面図である。上記第１電気コネクタの上記第２電気コネクタへの挿入深さが、図８の状態から増している。
【図１２】図１２は、図１１のＸＩＩ−ＸＩＩ線における断面図である。
【図１３】図１３は、図１２の仮想線で囲んだ部分の拡大図である。
【図１４】図１４は、上記実施形態の上記第１電気コネクタおよび上記第２電気コネクタの側面図である。上記第１電気コネクタの上記第２電気コネクタへの嵌合が完了している。
【図１５】図１５は、図１４のＸＶ−ＸＶ線における断面図である。
【図１６】図１６は、図１５の仮想線で囲んだ部分の拡大図である。
【図１７】図１７は、上記実施形態の上記第１電気コネクタおよび上記第２電気コネクタの側面図である。上記第１電気コネクタの上記第２電気コネクタへの挿入深さが、図５の状態と図８の状態との中間の段階にある。
【図１８】図１８は、図１７のＸＶＩＩＩ−ＸＶＩＩＩ線における断面図である。
【図１９】図１９は、図１８の仮想線で囲んだ部分の拡大図である。
【発明を実施するための形態】
【００２３】
以下、本発明の実施の形態を説明する。図１ないし図１９は、一方にシャッターを備えた一対の電気コネクタの一つの実施形態の第１電気コネクタ１００および第２電気コネクタ２００を示す。第１電気コネクタ１００と、上記第２電気コネクタ２００とは、対向配置して接近させると一方が他方へ挿入されて嵌合を果たし、離間させると離脱するようになっている。この実施形態の場合、上記第１電気コネクタ１００の後述する周壁１１１が上記第２電気コネクタ２００の後述する側壁２１２の内側へ挿入されるが、他の構成によって上記第１電気コネクタが上記第２電気コネクタに挿入されるように構成してもよいし、上記第２電気コネクタが上記第１電気コネクタに挿入されるように構成してもよい。このように嵌合することになる上記第１電気コネクタ１００および上記第２電気コネクタ２００において、一方における他方に対して嵌合する側を嵌合側とし、その反対側を反嵌合側とする。また、上記第１電気コネクタ１００および上記第２電気コネクタ２００を嵌合させ又は離脱させる方向を嵌合離脱方向という。以下、部材又は部分に対して単に上記嵌合側又は上記反嵌合側というときは、その部材又は部分が上記第１電気コネクタ１００に設けられているときは当該第１電気コネクタ１００の上記嵌合側又は上記反嵌合側と同一であり、その部材又は部分が上記第２電気コネクタ２００に設けられているときは当該第２電気コネクタ２００の上記嵌合側又は上記反嵌合側と同一である。また、上記嵌合離脱方向に直交する方向を幅方向とし、上記嵌合離脱方向および上記幅方向に直交する方向を厚さ方向とする。図４を符号が正しく読める向きに置くと、上記嵌合離脱方向は図の左右方向であり、上記幅方向は図の上下方向であり、上記厚さ方向は図の紙面に直交する方向である。
【００２４】
上記第１電気コネクタ１００は、第１ハウジング１１０と、上記第１ハウジング１１０に設けられた第１接触子１２０と、上記第１ハウジング１１０に設けられたシャッター１３０とを備えている。
【００２５】
上記第１ハウジング１１０は、少なくとも上記第１接触子１２０と接触する部分が絶縁性材料により形成されている。上記第１ハウジング１１０には、上記嵌合側に開口１１３を有する第１収容室１１２が内部に形成されるように周壁１１１が設けられている。上記周壁１１１は、上記嵌合離脱方向にみたときに環状になるように形成されている。この実施形態の場合、上記周壁１１１は、上記嵌合離脱方向にみたときに四角形になるように形成されている。上記周壁１１１は筒状に形成されているが、他の形状であってもよい。
【００２６】
上記第１接触子１２０は、導電性材料により形成されている。上記第１接触子１２０は、接触部１２１と、接続部１２２とを備えている。上記第１接触子１２０は極数に応じた数だけ設けられる。上記接触部１２１は上記第１接触子１２０の上記嵌合側に設けられ、上記接続部１２２は上記第１接触子１２０の上記反嵌合側に設けられているが、上記接触部と上記接続部とが他の相対位置関係にあってもよい。そして、上記第１接触子１２０は、上記接触部１２１が上記第１収容室１１２に配置されるように上記第１ハウジング１１０に設けられている。上記第１接触子１２０は雄形であるので、上記接触部１２１は棒状のポストであるが、他の形状に形成されていてもよい。また、上記第１接触子は雌形であってもよく、そのときには上記接触部は、例えば箱形又はその他の形状に形成される。上記第１接触子には、第１外部導体３１０が接続される。上記第１外部導体３１０は電線であるので、上記接続部１２２は圧着部であるが、上記接続部を、例えば圧接部、ピアシング部、又はその他の構造にしてもよい。上記第１外部導体は、例えばプリント配線板又はその他の部材であってもよく、したがって、上記接続部は、例えば、ハンダ付けするための接続片であってもよいし、非接触で外部と導通する構成であってもよい。
【００２７】
図３に示すように、上記シャッター１３０は、上記嵌合離脱方向に向いた板状に形成されているが、他の形状であってもよい。上記シャッター１３０は、上記第１収容室１１２の上記開口１１３を塞ぐように上記第１ハウジング１１０の上記第１収容室１１２に配置されている。上記シャッター１３０は、上記第１ハウジング１１０に対して上記第１接触子１２０の上記接触部１２１よりも上記嵌合側にある第１位置と、上記接触部１２１の少なくとも一部よりも上記反嵌合側にある第２位置との間でスライド自在に設けられている。上記シャッター１３０が上記第１位置にあると、上記シャッター１３０により上記第１接触子１２０の上記接触部１２１が外部から隔離される。この実施形態の場合、図５ないし図７が上記シャッター１３０が上記第１位置にある状態を示しており、図１４ないし図１６が上記シャッター１３０が上記第２位置にある状態を示している。上記シャッター１３０には、上記嵌合離脱方向にみたときに上記第１接触子１２０の上記接触部１２１に対応する部位に、上記嵌合離脱方向に貫通する第１孔１３１が設けられている。上記第１孔１３１は、上記第１接触子１２０の数だけ設けられている。そして、上記シャッター１３０が上記第１位置から上記第２位置へ進むと、上記第１接触子１２０の上記接触部１２１の少なくとも一部が、上記第１孔１３１を貫通して上記シャッター１３０よりも上記嵌合側へ露出し、後述する第２孔２１１ｃを貫通して上記第２接触子２２０の上記接触部２２１と接触するようになっている。
【００２８】
上記第２電気コネクタは、第２ハウジング２１０と、上記第２ハウジング２１０に設けられた第２接触子２２０とを備えている。
【００２９】
上記第２ハウジング２１０は、少なくとも上記第２接触子２２０と接触する部分が絶縁性材料により形成されている。上記第２ハウジング２１０には本体２１１が設けられている。上記本体２１１は、上記嵌合側に上記嵌合離脱方向に向いた受け止め面２１１ａを有する直方体状に形成されていて、上記受け止め面２１１ａにより、上記両電気コネクタ１００、２００の嵌合時に上記シャッター１３０を受け止めるように構成されている。しかし、上記本体は、例えば円柱形又はその他の形状に形成されてもよく、また上記本体に、上記両電気コネクタの嵌合時に上記シャッターを受け止める部位が設けられておればよく、上記受け止め面はそのような構成の一例に過ぎない。上記本体２１１の内部には、上記第２孔２１１ｃを介して上記嵌合側へ連通する第２収容室２１１ｂが形成されている。上記第２孔２１１ｃは、上記本体において、上記第１孔に対応する部位で上記嵌合離脱方向に貫通している。
【００３０】
上記第２接触子２２０は、導電性材料により形成されている。上記第２接触子２２０は、接触部２２１と、接続部２２２とを備えている。上記第２接触子２２０は極数に応じた数だけ設けられる。上記接触部２２１は上記第２接触子２２０の上記嵌合側に設けられ、上記接続部２２２は上記第２接触子２２０の上記反嵌合側に設けられているが、上記接触部と上記接続部とが他の相対位置関係にあってもよい。そして、上記第２接触子２２０は、上記接触部２２１が、上記嵌合離脱方向にみたときに上記第２孔２１１ｃに対応して上記第２収容室２１１ｂに配置されるように上記第２ハウジング２１０に設けられている。上記第２接触子２２０は、雄形の上記第１接触子１２０に対応して雌形であるので、上記接触部２２１は箱形に形成されているが、他の形状に形成されていてもよい。また、上記第１接触子が雌形であれば上記第２接触子は雄形になり、そのときには上記接触部は、例えば棒状のポストとされ又はその他の形状に形成される。上記第２接触子には、第２外部導体３２０が接続される。上記第２外部導体３２０は電線であるので、上記接続部２２２は圧着部であるが、上記接続部を、例えば圧接部、ピアシング部、又はその他の構造にしてもよい。上記第２外部導体は、例えばプリント配線板又はその他の部材であってもよく、したがって、上記接続部は、例えば、ハンダ付けするための接続片であってもよいし、非接触で外部と導通する構成であってもよい。
【００３１】
図６および図７などに示すように、上記第１ハウジングには、第１弾性片１１４が設けられている。上記第１弾性片１１４は、上記周壁１１１の一部により構成され、上記嵌合側へ延びて上記嵌合側の端部が上記第１収容室１１２の上記開口１１３の付近で上記嵌合離脱方向と直交する幅方向に撓むことができるようになっている。上記第１弾性片１１４の上記嵌合側の端部には、上記幅方向の外側に出た外側凸部が設けられると共に、上記幅方向の内側に出た内側凸部が設けられている。しかし、上記第１弾性片の上記嵌合側の端部に、上記外側凸部および上記内側凸部のうち一方が設けられていなくてもよいし、上記外側凸部および上記内側凸部の両方が設けられていなくてもよい。上記第１電気コネクタ１００における上記幅方向の外側とは、上記幅方向において上記第１電気コネクタ１００の外部に近い側であり、上記幅方向の内側とは、上記幅方向において上記第１電気コネクタ１００の内部に近い側をいう。
【００３２】
図６および図７などに示すように、上記シャッター１３０には、第２弾性片１３２が設けられている。上記第２弾性片１３２は、上記嵌合側へ延びて上記嵌合側の端部が上記幅方向に撓むことができるようになっており、当該端部に鉤１３２ａが設けられている。上記鉤１３２ａは、上記幅方向の外側へ突出している。
【００３３】
図６および図７などに示すように、上記第１ハウジング１１０には、上記第２弾性片１３２の上記鉤１３２ａに上記反嵌合側から掛かる係止部１１５が設けられている。上記係止部１１５は、上記周壁１１１の内側、つまり上記第１収容室１１２に面した側に設けられ、上記幅方向の内側へ突出して設けられている。上記係止部１１５は、上記第１弾性片１１４に対して上記厚さ方向の両側の上記周壁１１１に設けられているが、片側の上記周壁１１１にのみ設けてもよいし、上記第１ハウジングの他の部位に設けてもよい。そして、上記係止部１１５は、上記係止部１１５の上記嵌合側の部分が上記第２弾性片１３２の上記鉤１３２ａに当たるようになっている。上記係止部１１５の上記反嵌合側の面は、上記反嵌合側に向かうと上記幅方向の外側へ寄るように傾斜して設けられており、これによって上記シャッター１３０が上記第２位置から上記第１位置へ進むときに上記第２弾性片１３２の上記鉤１３２ａを上記幅方向の内側へ案内するようにしている。しかし、上記係止部の上記反嵌合側の面を、このように傾斜させなくてもよい。上記第２弾性片１３２は、上記第１弾性片１１４により押され、しかも上記係止部１１５に係止されるように上記厚さ方向に十分な寸法をもって設けられている。
【００３４】
上記第１ハウジング１１０における上記第２弾性片１３２よりも上記幅方向の内側には、上記嵌合側へ延びて上記嵌合側の端部が上記幅方向に撓むことができ当該端部に鉤１３３ａが設けられた第３弾性片１３３が設けられている。また、上記第２ハウジング２１０の上記本体２１１における上記幅方向の外側には、上記幅方向へ出た第１凸部２１１ｄが設けられている。上記第２電気コネクタ２００における上記幅方向の外側とは、上記幅方向において上記第２電気コネクタ２００の外部に近い側であり、上記幅方向の内側とは、上記幅方向において上記第２電気コネクタ２００の内部に近い側をいう。上記鉤１３３ａは、上記幅方向の内側へ突出しており、上記第１凸部２１１ｄは、上記幅方向の外側へ突出している。これとは逆に、上記鉤を上記幅方向の外側へ突出させると共に上記第１凸部を上記幅方向の内側へ突出させてもよい。上記第１凸部２１１ｄは、上記本体２１１の一部により構成されると共に上記嵌合側へ延びて上記嵌合側の端部が上記幅方向に撓むことができる第４弾性片２１１ｅの当該端部に設けられている。上記第４弾性片は、上記本体の一部により構成せずに、上記本体の外側に設けてもよい。また、上記第４弾性片を設けずに、上記第１凸部を上記本体に設けてもよい。また、この実施形態とは逆に、上記第１ハウジングにおける上記第２弾性片よりも上記幅方向の内側に、上記幅方向へ出た上記第１凸部を設けると共に、上記第２ハウジングの上記本体における上記幅方向の外側に、上記嵌合側へ延びて上記嵌合側の端部が上記幅方向に撓むことができ当該端部に鉤が設けられた上記第３弾性片を設けてもよい。その場合も、上記鉤を上記幅方向の内側へ突出させると共に上記第１凸部を上記幅方向の外側へ突出させてもよいし、これとは逆に、上記鉤を上記幅方向の外側へ突出させると共に上記第１凸部を上記幅方向の内側へ突出させてもよい。
【００３５】
上記第２ハウジング２１０には、上記本体２１１の上記幅方向の外側に配置されて、上記幅方向の内側へ出た第２凸部２１２ａを有する側壁２１２が設けられている。
【００３６】
上記第１電気コネクタ１００には、上記シャッター１３０が上記第１位置よりも上記嵌合側へ移動することを阻止する停止機構が設けられている。
【００３７】
そして、上記一方にシャッターを備えた一対の電気コネクタは、上記両電気コネクタ１００、２００の嵌合過程では、上記第３弾性片１３３の上記鉤１３３ａが上記第１凸部２１１ｄを乗り越えて当該第１凸部２１１ｄの上記反嵌合側に掛かり、上記側壁２１２の上記第２凸部２１２ａが上記第１弾性片１１４を介して上記第２弾性片１３２を上記幅方向の内側へ押して当該第２弾性片１３２の上記鉤１３２ａが上記係止部１１５から外れ、上記シャッター１３０が上記本体２１１に受け止められて上記第１ハウジング１１０の上記嵌合側への移動により上記第１位置から上記第２位置へ向かい、上記両電気コネクタ１００、２００の離脱過程では、上記第３弾性片１３３の上記鉤１３３ａが上記第１凸部２１１ｄに掛かることで上記シャッター１３０が上記第１位置へ戻り、上記側壁２１２の上記第２凸部２１２ａが上記第１弾性片１１４を介して上記第２弾性片１３２を上記幅方向の内側へ押して当該第２弾性片１３２の上記鉤１３２ａを上記係止部１１５から逃がし、上記停止機構により上記シャッター１３０が上記第１位置に止まることで上記第３弾性片１３３の上記鉤１３３ａが上記第１凸部２１１ｄを乗り越えて当該第１凸部２１１ｄの上記嵌合側に戻るように構成されている。上記嵌合過程での作動は、図５ないし図７の状態から始まり、図８ないし図１０の状態、図１１ないし図１３の状態を経て、図１４ないし図１６の状態に至る４つの図面群の変化で示され、上記離脱過程での作動は、それとは逆に図１４ないし図１６の状態から始まり、図１１ないし図１３の状態、図８ないし図１０の状態を経て、図５ないし図７の状態に至る４つの図面群の変化で示される。
【００３８】
この実施形態の場合、上記両電気コネクタの嵌合過程において接触する上記第１弾性片の面および上記第２弾性片の面のうち少なくとも一方の面が、上記厚さ方向にみたときに上記嵌合側へ向かうにつれて上記幅方向の外側へ寄るように上記嵌合離脱方向および上記幅方向に対して斜めに形成されている。ここでは、上記両電気コネクタ１００、２００の嵌合過程において接触する上記第１弾性片１１４の面１１４ａおよび上記第２弾性片１３２の面１３２ｂの両方が、上記厚さ方向にみたときに上記嵌合側へ向かうにつれて上記幅方向の外側へ寄るように上記嵌合離脱方向および上記幅方向に対して斜めに形成されている。しかし、このように両方の面でなくても、いずれか一方の上記の面のみが、上記厚さ方向にみたときに上記嵌合側へ向かうにつれて上記幅方向の外側へ寄るように上記嵌合離脱方向および上記幅方向に対して斜めに形成されていてもよい。
【００３９】
この実施形態の場合、図１７ないし図１９に示すように、上記停止機構が、上記第１ハウジング１１０に設けられ、上記幅方向の内側へ出た第３凸部１１６と、上記シャッター１３０に設けられ、上記第３凸部１１６に上記反嵌合側から掛かるシャッター係止部１３４とを備えている。上記第３凸部１１６は、上記周壁１１１に、上記幅方向の内側へ突出して設けられている。上記シャッター係止部１３４は、上記シャッター１３０の上記幅方向の外側の端部に設けられると共に上記嵌合側へ延びて上記嵌合側の端部が上記幅方向に撓むことができる弾性片の当該端部に設けられている。そして、上記シャッター１３０が上記第１位置にくると、上記第シャッター係止部１３４が上記第３凸部１１６の上記反嵌合側の部分に当たるようになっている。しかし、上記第３凸部は上記第１ハンジングの他の部位に設けてもよい。また、上記シャッター係止部は上記シャッターの他の部位に設けてもよい。
【００４０】
この実施形態の場合、上記第１弾性片１１４、上記第２弾性片１３２、上記第３弾性片１３３、および上記係止部１１５が、上記第１電気コネクタ１００の上記幅方向の央部を挟んで上記幅方向の両側に設けられている。また、これに対応して、上記第１凸部２１１ｄ、および上記第２凸部２１２ａを有する上記側壁２１２が、上記第２電気コネクタ２００の上記幅方向の央部を挟んで上記幅方向の両側に設けられている。この実施形態とは逆に、上記第１ハウジングに上記第１凸部を設けると共に、上記第２ハウジングに上記第３弾性片を設けたときには、上記第１弾性片、上記第２弾性片、上記第１凸部、および上記係止部を、上記第１電気コネクタの上記幅方向の央部を挟んで上記幅方向の両側に設けると共に、これに対応して、上記第３弾性片、および上記第２凸部を有する上記側壁を、上記第２電気コネクタの上記幅方向の央部を挟んで上記幅方向の両側に設けてもよい。
【００４１】
この実施形態の場合、上記両電気コネクタ１００、２００の嵌合過程では、上記第３弾性片１３３の上記鉤１３３ａが上記第１凸部２１１ｄを乗り越えて当該第１凸部２１１ｄの上記反嵌合側に掛かった後に、上記側壁２１２の上記第２凸部２１２ａが上記第１弾性片１１４を介して上記第２弾性片１３２を上記幅方向の内側へ押して当該第２弾性片１３２の上記鉤１３２ａが上記係止部１１５から外れ、上記両電気コネクタ１００、２００の離脱過程では、上記側壁２１２の上記第２凸部２１２ａが上記第１弾性片１１４を介して上記第２弾性片１３２を上記幅方向の内側へ押して当該第２弾性片１３２の上記鉤１３２ａを上記係止部１１５から逃がした後に、上記第３弾性片１３３の上記鉤１３３ａが上記第１凸部２１１ｄを乗り越えて当該第１凸部２１１ｄの上記嵌合側に戻るように構成されている。
【００４２】
したがって、上記実施形態およびその変形例の、一方にシャッターを備えた一対の電気コネクタにおいては、上記両電気コネクタ１００、２００が離れているときは、上記第２弾性片１３２の上記鉤１３２ａに上記係止部１１５が上記反嵌合側から掛かるので上記シャッター１３０が上記第１位置よりも上記反嵌合側へ移動せず、また上記停止機構により上記シャッター１３０が上記第１位置よりも上記嵌合側へも移動しないことから、上記シャッター１３０により上記第１接触子１２０の上記接触部１２１が外部から隔離される。それにより、例えば使用者が上記接触部１２１に触れて感電する可能性、上記接触部１２１に外力が加わって当該接触部１２１が変形し若しくは損傷を受ける可能性、又は上記第１接触子１２０に電気的な外乱が加わる可能性、などを低減することができる。そして、上記両電気コネクタ１００、２００の嵌合過程で上記両電気コネクタ１００、２００のうち一方を他方へ挿入していくと、上記第３弾性片１３３の上記鉤１３３ａが上記第１凸部２１１ｄを乗り越えて当該第１凸部２１１ｄの上記反嵌合側に掛かり、上記側壁２１２の上記第２凸部２１２ａが上記第１弾性片１１４を介して上記第２弾性片１３２を上記幅方向の内側へ押して当該第２弾性片１３２の上記鉤１３２ａが上記係止部１１５から外れ、上記シャッター１３０が上記本体２１１に受け止められて上記第１ハウジング１１０の上記嵌合側への移動により上記第１位置から上記第２位置へ向かい、さらに上記挿入を続行すると、上記第１接触子１２０の上記接触部１２１が上記第１孔１３１から上記嵌合側へ出て上記第２孔２１１ｃに入り、上記第２接触子２２０に接触する。一方、上記両電気コネクタ１００、２００の離脱過程で上記両電気コネクタ１００、２００を離していくと、上記第３弾性片１３３の上記鉤１３３ａが上記第１凸部２１１ｄに掛かっているので上記シャッター１３０が上記第１位置へ戻り、上記側壁２１２の上記第２凸部２１２ａが上記第１弾性片１１４を介して上記第２弾性片１３２を上記幅方向の内側へ押して当該第２弾性片１３２の上記鉤１３２ａを上記係止部１１５から逃がし、上記停止機構により上記シャッター１３０が上記第１位置に停止してそれよりも上記嵌合側へ移動しないことから、上記第３弾性片１３３の上記鉤１３３ａが上記第１凸部２１１ｄを乗り越えて当該第１凸部２１１ｄの上記嵌合側に戻る。その場合、上記両電気コネクタ１００、２００が完全に嵌合するに至らない半嵌合の状態であっても、上記両電気コネクタ１００、２００を離していくと、上記第３弾性片１３３の上記鉤１３３ａが上記第１凸部２１１ｄに掛かっているので上記シャッター１３０が上記第１位置へ戻る。そして、上記一方にシャッターを備えた一対の電気コネクタは、独立した弾性部材を設けない実施形態を実現することが可能であり、そうしたときには、その分だけ部品点数が減る。また、上記シャッター１３０に設けられた上記第２弾性片１３２および上記第３弾性片１３３は、上記嵌合側へ平行に延び又は上記両電気コネクタ１００、２００に分散して設けられるので、軸線上に且つ一体的に設けられるという形態をとらないことから、一方が変位しても他方が連動するおそれが少ない。そのため、上記両電気コネクタ１００、２００のうち一方を他方へ挿入していくときの上記第２弾性片１３２および上記第３弾性片１３３の作動タイミングが正確で且つ精度よく得られ、例えば上記両電気コネクタ１００、２００を離間させたときに上記シャッター１３０が脱落するなどの不具合が起こりにくい。さらに、上記シャッター１３０の厚みを増して剛性をあげるような対策を特に必要としないので、上記第１電気コネクタ１００の長さが長くなるおそれも少ない。加えて、上記第２弾性片１３２の案内機能により上記シャッター１３０が上記第１ハウジング１１０の内部で斜めに移動することが防がれるので、上記両電気コネクタ１００、２００が斜めに嵌合することが防止される。
【００４３】
本発明の、一方にシャッターを備えた一対の電気コネクタは、上記両電気コネクタの嵌合過程において接触する上記第１弾性片の面および上記第２弾性片の面の形状を限定しない。そのような種々の実施形態のなかで、上記実施形態、および上記変形例の、一方にシャッターを備えた一対の電気コネクタの場合、上記両電気コネクタ１００、２００の嵌合過程において接触する上記第１弾性片１１４の面１１４ａおよび上記第２弾性片１３２の面１３２ｂのうち少なくとも一方の面が、上記厚さ方向にみたときに上記嵌合側へ向かうにつれて上記幅方向の外側へ寄るように上記嵌合離脱方向および上記幅方向に対して斜めに形成されている。例えば、上記シャッター１３０が上記第２ハウジング２１０の上記本体２１１により上記反嵌合側へ押されると、上記第２弾性片１３２の上記鉤１３２ａと上記第１ハウジング１１０の上記係止部１１５との接触圧力が高くなり、上記シャッター１３０が上記係止部１１５から上記幅方向の内側へ外れにくくなることがある。しかし、上記実施形態およびその変形例のようにすれば、上記両電気コネクタ１００、２００のうち一方を他方へ挿入したときに、上記第１弾性片１１４の面１１４ａと上記第２弾性片１３２の面１３２ｂとが接触すると、上記第１弾性片１１４から上記第２弾性片１３２に対してこれを上記幅方向の内側へ押す力が作用するので、上記第２弾性片１３２の上記鉤１３２ａと上記第１ハウジング１１０の上記係止部１１５とに接触圧力が作用していても、上記鉤１３２ａが上記係止部１１５から上記幅方向の内側へ外れやすくなる。
【００４４】
本発明の、一方にシャッターを備えた一対の電気コネクタの上記停止機構は、上記第１電気コネクタに設けられていて、上記シャッターが上記第１位置よりも上記嵌合側へ移動することを阻止する機構であればよい。そのような種々の実施形態のなかで、上記実施形態、および上記変形例の、一方にシャッターを備えた一対の電気コネクタの場合、上記停止機構が、上記第１ハウジング１１０に設けられ、上記幅方向の内側へ出た第３凸部１１６と、上記シャッター１３０に設けられ、上記第３凸部１１６に上記反嵌合側から掛かるシャッター係止部１３４とを備えている。このようにすれば、上記両電気コネクタ１００、２００の離脱過程で上記第３凸部１１６が上記シャッター係止部１３４に掛かるので、上記シャッター１３０が上記第１位置に停止してそれよりも上記嵌合側へ移動しないことから、上記第３弾性片１３３の上記鉤１３３ａが上記第１凸部２１１ｄを乗り越えて当該第１凸部２１１ｄの上記嵌合側に戻る。また、上記シャッター１３０が上記第１ハウジング１１０から上記嵌合側へ抜けることが阻止される。
【００４５】
本発明の、一方にシャッターを備えた一対の電気コネクタの場合、上記第１弾性片、上記第２弾性片、上記第３弾性片若しくは上記第１凸部、および上記係止部が、上記第１電気コネクタに一組又は二組以上設けられ、これに対応して、上記第１凸部若しくは上記第３弾性片、および上記第２凸部を有する上記側壁が、上記第２電気コネクタに上記組数と同一の組数だけ設けられておればよい。そのような種々の実施形態のなかで、上記実施形態、および上記変形例の、一方にシャッターを備えた一対の電気コネクタの場合、上記第１弾性片１１４、上記第２弾性片１３２、上記第３弾性片１３３若しくは上記第１凸部、および上記係止部１１５が、上記第１電気コネクタ１００の上記幅方向の央部を挟んで上記幅方向の両側に設けられ、これに対応して、上記第１凸部２１１ｄ若しくは上記第３弾性片、および上記第２凸部２１２ａを有する上記側壁２１２が、上記第２電気コネクタ２００の上記幅方向の央部を挟んで上記幅方向の両側に設けられている。このようにすれば、上記両電気コネクタ１００、２００の作動が上記両電気コネクタ１００、２００の上記幅方向の央部を中心にしてバランスのとれたものになり、例えば、上記両電気コネクタ１００、２００の嵌合、離脱時に、こじり力などが発生することが防止される。
【００４６】
本発明の、一方にシャッターを備えた一対の電気コネクタの場合、上記第３弾性片の上記鉤が上記第１凸部を乗り越えて当該第１凸部の上記反嵌合側に掛かるタイミング、および上記側壁の上記第２凸部が上記第１弾性片を介して上記第２弾性片を上記幅方向の内側へ押して当該第２弾性片の上記鉤が上記係止部から外れるタイミングのうち、いずれのタイミングが先かを限定しない。そのような種々の実施形態のなかで、上記実施形態、および上記変形例の、一方にシャッターを備えた一対の電気コネクタの場合、上記両電気コネクタの嵌合過程では、上記第３弾性片１３３の上記鉤１３３ａが上記第１凸部２１１ｄを乗り越えて当該第１凸部２１１ｄの上記反嵌合側に掛かった後に、上記側壁２１２の上記第２凸部２１２ａが上記第１弾性片１１４を介して上記第２弾性片１３２を上記幅方向の内側へ押して当該第２弾性片１３２の上記鉤１３２ａが上記係止部１１５から外れ、上記両電気コネクタ１００、２００の離脱過程では、上記側壁２１２の上記第２凸部２１２ａが上記第１弾性片１１４を介して上記第２弾性片１３２を上記幅方向の内側へ押して当該第２弾性片１３２の上記鉤１３２ａを上記係止部１１５から逃がした後に、上記第３弾性片１３３の上記鉤１３３ａが上記第１凸部２１１ｄを乗り越えて当該第１凸部２１１ｄの上記嵌合側に戻るように構成されている。このようにすれば、上記両電気コネクタ１００、２００が完全に嵌合するに至らない半嵌合の状態から上記両電気コネクタ１００、２００を離していく場合、嵌合深さが比較的浅いときであっても上記第３弾性片１３３の上記鉤１３３ａが上記第１凸部２１１ｄに掛かることで上記シャッター１３０が上記第１位置へ戻る。
【００４７】
上記シャッターを、例えばゴム、熱可塑性エラストマー、又はその他のエラストマーなどのような防水性に富んだ材料により形成したときには、上記第１接触子に対する防水機能が具わる可能性がある。
【００４８】
本発明の上記一方にシャッターを備えた、一対の電気コネクタは、以上で説明した上記実施形態および上記変形例の特徴を組み合わせた実施形態を含んでいる。さらに、以上で説明した上記実施形態および上記変形例は本発明の、一方にシャッターを備えた一対の電気コネクタのいくつかの例を示したに過ぎない。したがって、これらの上記実施形態および上記変形例の記載によって本発明の、一方にシャッターを備えた一対の電気コネクタが限定解釈されることはない。
【符号の説明】
【００４９】
１００  第１電気コネクタ
１１０  第１ハウジング
１１１  周壁
１１２  第１収容室
１１３  開口
１１４  第１弾性片
１１４ａ  面
１１５  係止部
１１６  第３凸部
１２０  第１接触子
１２１  接触部
１３０  シャッター
１３１  第１孔
１３２  第２弾性片
１３２ａ  鉤
１３２ｂ  面
１３３  第３弾性片
１３３ａ  鉤
１３４  シャッター係止部
２００  第２電気コネクタ
２１０  第２ハウジング
２１１  本体
２１１ａ  受け止め面
２１１ｂ  第２収容室
２１１ｃ  第２孔
２１１ｄ  第１凸部
２１２  側壁
２１２ａ  第２凸部
２２０  第２接触子
２２１  接触部
【図１】
2015164113.tif 000003
【図２】
2015164113.tif 000004
【図３】
2015164113.tif 000005
【図４】
2015164113.tif 000006
【図５】
2015164113.tif 000007
【図６】
2015164113.tif 000008
【図７】
2015164113.tif 000009
【図８】
2015164113.tif 000010
【図９】
2015164113.tif 000011
【図１０】
2015164113.tif 000012
【図１１】
2015164113.tif 000013
【図１２】
2015164113.tif 000014
【図１３】
2015164113.tif 000015
【図１４】
2015164113.tif 000016
【図１５】
2015164113.tif 000017
【図１６】
2015164113.tif 000018
【図１７】
2015164113.tif 000019
【図１８】
2015164113.tif 000020
【図１９】
2015164113.tif 000021